(57)【特許請求の範囲】
【請求項１】
予め定められた複数の領域のいずれかの領域に進入する聴取者を検出するセンサと、
前記センサによって検出された聴取者が進入した領域に対応付けられたヴォーカルまたは楽器による演奏を音により再生するコンテンツ出力部と、
前記コンテンツ出力部に前記ヴォーカルまたは楽器による演奏を出力させるスクリプトを実行するスクリプト実行部と、を有し、ヴォーカルまたは楽器による演奏を同期させて一つの楽曲を構成し、当該楽曲を音により再生する音楽コンテンツを聴取者に提供する音楽コンテンツ提供装置による音楽コンテンツ提供方法であって、
前記センサが、予め定められた複数の領域のうちのいずれか一つの領域に聴取者が進入したことを検出すると、前記スクリプト実行部が、前記一つの領域に対応付けられたヴォーカルまたは楽器の演奏を前記コンテンツ出力部に出力させるスクリプトを実行し、前記コンテンツ出力部が、前記一つの領域に対応付けられたヴォーカルまたは楽器の演奏を音により再生し、
前記コンテンツ出力部が、前記一つの領域に対応付けられたヴォーカルまたは楽器の演奏を音により再生している状態で、前記センサが、前記複数の領域のうちの他の領域に前記聴取者が進入したことを検出すると、前記スクリプト実行部が、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、前記コンテンツ出力部に出力させるスクリプトを実行し、前記コンテンツ出力部が、前記一つの領域に対応付けられたヴォーカルまたは楽器の演奏と前記他の領域に対応付けられたヴォーカルまたは楽器の演奏とで構成される一つの楽曲を音楽コンテンツとして前記聴取者に提供する、
ことを特徴とする音楽コンテンツ提供方法。
【請求項２】
聴取者を検出するセンサが、予め定められた複数の領域のいずれかの領域の聴取者を検出する検出ステップと、
映像解析部が、前記聴取者の検出結果から当該聴取者の位置を特定する位置特定ステップと、
前記位置特定ステップの位置特定結果に基づいて、イベント発生部が、前記複数の領域のいずれかの領域に前記聴取者が進入したことを示すイベントを発生するイベント発生ステップと、
スクリプト実行部が前記イベントに対応したスクリプトを実行するスクリプト実行ステップと、
コンテンツ出力部が前記スクリプトに対応したコンテンツを出力するコンテンツ出力ステップと、を有する音楽コンテンツ提供方法であって、
前記検出ステップで、前記センサが、予め定められた複数の領域のいずれかの領域に進入した聴取者を検出すると、前記位置特定ステップで、前記映像解析部が、前記聴取者の位置に基づいて特定される一つの領域を特定し、前記イベント発生ステップで、前記イベント発生部が、前記一つの領域に前記聴取者が進入したことを示すイベントを発生し、前記スクリプト実行ステップで、前記スクリプト実行部が、前記一つの領域に対応付けられたヴォーカルまたは楽器の演奏を前記コンテンツ出力部に出力させるスクリプトを実行し、前記コンテンツ出力ステップで、前記コンテンツ出力部が、前記一つの領域に対応付けられたヴォーカルまたは楽器の演奏を音により再生し、
前記コンテンツ出力部が、前記一つの領域に対応付けられたヴォーカルまたは楽器の演奏を音により再生している状態で、前記検出ステップで、前記センサが、予め定められた複数の領域の他の領域に前記聴取者が進入したことを検出すると、前記位置特定ステップで、前記映像解析部が、当該聴取者の位置に基づいて特定される他の領域を特定し、前記イベント発生ステップで、前記イベント発生部が、前記他の領域に前記聴取者が進入したことを示すイベントを発生し、前記スクリプト実行ステップで、前記スクリプト実行部が、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、前記コンテンツ出力部に出力させるスクリプトを実行し、前記コンテンツ出力ステップで、前記コンテンツ出力部が、前記一つの領域に対応付けられたヴォーカルまたは楽器の演奏と前記他の領域に対応付けられたヴォーカルまたは楽器の演奏とで構成される一つの楽曲を音楽コンテンツとして前記聴取者に提供する、
ことを特徴とする音楽コンテンツ提供方法。
【請求項３】
聴取者を検出するセンサが、予め定められた複数の領域のいずれかの領域の聴取者を検出する検出ステップと、
映像解析部が、前記聴取者の検出結果から当該聴取者の位置を特定する位置特定ステップと、
前記位置特定ステップの位置特定結果に基づいて、イベント発生部が、前記複数の領域のいずれかの領域に前記聴取者が進入したことを示すイベントを発生するイベント発生ステップと、
スクリプト実行部が前記イベントに対応したスクリプトを実行するスクリプト実行ステップと、
コンテンツ出力部が前記スクリプトに対応したコンテンツを出力するコンテンツ出力ステップと、を有する音楽コンテンツ提供方法であって、
前記検出ステップで、前記センサが、予め定められた複数の領域のいずれかの領域に進入した聴取者を検出すると、前記位置特定ステップで、前記映像解析部が、前記聴取者の位置に基づいて特定される一つの領域を特定し、前記イベント発生ステップで、前記イベント発生部が、前記一つの領域に前記聴取者が進入したことを示すイベントを発生し、前記スクリプト実行ステップで、前記スクリプト実行部が、前記一つの領域に対応付けられたヴォーカルまたは楽器の演奏を前記コンテンツ出力部に出力させるスクリプトを実行し、前記コンテンツ出力ステップで、前記コンテンツ出力部が、前記一つの領域に対応付けられたヴォーカルまたは楽器の演奏を音により再生し、
前記コンテンツ出力部が、前記一つの領域に対応付けられたヴォーカルまたは楽器の演奏を音により再生している状態で、前記検出ステップで、前記センサが、予め定められた複数の領域の他の領域に前記聴取者が進入したことを検出すると、前記位置特定ステップで、前記映像解析部が、当該聴取者の位置に基づいて特定される他の領域を特定し、前記イベント発生ステップで、前記イベント発生部が、前記他の領域に前記聴取者が進入したことを示すイベントを発生し、前記スクリプト実行ステップで、前記スクリプト実行部が、前記他の領域に対応付けられたヴォーカルまたは楽器の演奏を、前記コンテンツ出力部に出力させるスクリプトを実行し、前記コンテンツ出力ステップで、前記コンテンツ出力部が、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、音により再生することで、前記一つの領域に対応付けられたヴォーカルまたは楽器の演奏と前記他の領域に対応付けられたヴォーカルまたは楽器の演奏とで構成される一つの楽曲が音楽コンテンツとして前記聴取者に提供される、
ことを特徴とする音楽コンテンツ提供方法。
【請求項４】
ヴォーカルまたは楽器の演奏から構成される楽曲を音により再生する音楽コンテンツを聴取者に提供する音楽コンテンツ提供装置であって、
予め定められた複数の領域のいずれかの領域に進入する聴取者を検出するセンサと、
前記センサによって検出された聴取者が進入した領域に対応付けられたヴォーカルまたは楽器の演奏を音により再生するコンテンツ出力部と、
前記センサが、予め定められた複数の領域のうちのいずれか一つの領域に聴取者が進入したことを検出すると、前記一つの領域に対応付けられたヴォーカルまたは楽器の演奏を前記コンテンツ出力部に出力させるスクリプトを実行し、前記コンテンツ出力部が、前記一つの領域に対応付けられたヴォーカルまたは楽器の演奏を出力している状態で、前記センサが、前記複数の領域のうちの他の領域に前記聴取者が進入したことを検出すると、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、前記コンテンツ出力部に出力させるスクリプトを実行するスクリプト実行部と、
を有し、
前記コンテンツ出力部から出力される前記一つの領域に対応付けられたヴォーカルまたは楽器の演奏と前記他の領域に対応付けられたヴォーカルまたは楽器の演奏とが一つの楽曲を構成し、当該楽曲が音楽コンテンツとして聴取者に提供される、
ことを特徴とする音楽コンテンツ提供装置。
【請求項５】
予め定められた複数の領域のいずれかの領域の聴取者を検出するセンサと、
前記聴取者の検出結果から当該聴取者の位置を特定する映像解析部と、
前記映像解析部の位置特定結果から、前記複数の領域のいずれかの領域に前記聴取者が進入したことを示すイベントを発生するイベント発生部と、
前記イベントに対応したスクリプトを実行するスクリプト実行部と、
前記スクリプトに対応したコンテンツを出力するコンテンツ出力部と、を有する音楽コンテンツ提供装置であって、
前記イベント発生部で、前記複数の領域のうちのいずれか一つの領域に聴取者が進入したことを示すイベントが発生すると、前記スクリプト実行部は、当該一つの領域に対応付けられたヴォーカルまたは楽器の演奏を前記コンテンツ出力部に出力させるスクリプトを実行し、前記コンテンツ出力部は、前記一つ領域に対応付けられたヴォーカルまたは楽器の演奏を出力し、
前記コンテンツ出力部が、前記一つの領域に対応付けられたヴォーカルまたは楽器の演奏を出力している状態で、前記イベント発生部で、前記複数の領域のうちの他の領域に前記聴取者が進入したことを示すイベントが発生すると、前記スクリプト実行部は、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、前記コンテンツ出力部に出力させるスクリプトを実行することで、前記コンテンツ出力部から出力される前記一つの領域に対応付けられたヴォーカルまたは楽器の演奏と前記他の領域に対応付けられたヴォーカルまたは楽器の演奏とが一つの楽曲を構成し、当該楽曲が音楽コンテンツとして前記聴取者に提供される、
ことを特徴とする音楽コンテンツ提供装置。
【請求項６】
予め定められた複数の領域のいずれかの領域の聴取者を検出するセンサと、
前記聴取者の検出結果から当該聴取者の位置を特定する映像解析部と、
前記映像解析部の位置特定結果から、前記複数の領域のいずれかの領域に前記聴取者が進入したことを示すイベントを発生するイベント発生部と、
前記イベントに対応したスクリプトを実行するスクリプト実行部と、
前記スクリプトに対応したコンテンツを出力するコンテンツ出力部と、を有する音楽コンテンツ提供装置であって、
前記イベント発生部で、前記複数の領域のうちのいずれか一つの領域に聴取者が進入したことを示すイベントが発生すると、前記スクリプト実行部は、当該一つの領域に対応付けられたヴォーカルまたは楽器の演奏を前記コンテンツ出力部に出力させるスクリプトを実行し、前記コンテンツ出力部は、前記一つの領域に対応付けられたヴォーカルまたは楽器の演奏を出力し、
前記コンテンツ出力部が、前記一つの領域に対応付けられたヴォーカルまたは楽器の演奏を出力している状態で、前記イベント発生部で、前記複数の領域のうちの他の領域に前記聴取者が進入したことを示すイベントが発生すると、前記スクリプト実行部は、前記他の領域に対応付けられたヴォーカルまたは楽器の演奏を、前記コンテンツ出力部に出力させるスクリプトを実行し、前記コンテンツ出力部は、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、出力することで、前記コンテンツ出力部から出力される前記一つの領域に対応付けられたヴォーカルまたは楽器の演奏と前記他の領域に対応付けられたヴォーカルまたは楽器の演奏とが一つの楽曲を構成し、当該楽曲が音楽コンテンツとして前記聴取者に提供される、
ことを特徴とする音楽コンテンツ提供装置。
【請求項７】
コンピュータに請求項４〜６のいずれかに記載の音楽コンテンツ提供装置の各機能を、実現させるためのプログラム。
【発明の詳細な説明】
【技術分野】
【０００１】
本発明は音楽コンテンツ提供技術に係り、詳しくは音楽それ自体の広告または音楽を効果的に使用した広告を目的としたコンテンツを大画面に出力し、コンテンツが視聴可能な領域にいる人物の動作に応じてコンテンツの音楽出力と画面出力を動的に変化させる音楽コンテンツ提供技術に関するものである。
【背景技術】
【０００２】
従来、駅構内やビルの入口等の公共空間に設けられたプラズマディスプレイやプロジェクタ等の大画面表示装置を介して広告や案内等のコンテンツを出力し、コンテンツが視聴可能な領域にいる人物(以下、可視聴者と称す。)の動作に応じてコンテンツの出力を動的に変化させるものがある。
【０００３】
例えば、図６に示すように、大画面のディスプレイ９０にコンテンツを表示する一つまたは複数のウインドウ９１を表示し、(ａ)可視聴者９２がウインドウ９１の前を通るときにウインドウ９１のサイズを拡大し、(ｂ)可視聴者９２がウインドウ９１の前で立ち止まるとコンテンツの詳細情報をウインドウ９１に表示し、(ｃ)可視聴者９２がウインドウ９１の前で長時間滞留したり、ウインドウ９１に対して指を差したりすると地図やクーポン情報等のコンテンツに関する有用な情報を表示するものがある。
【０００４】
また、図７に示すように、大画面のディスプレイ９０に地図を表示し、(ｄ)可視聴者９２が地図上の決められた位置の前に立ち止まると、対応する位置に関する情報を表示するウインドウ９１をポップアップ表示し、(ｅ)可視聴者９２がウインドウ９１に近づくと詳細情報をウインドウ９１に表示するものがある。
【０００５】
上記のようなサービスを実現するための技術として、例えば、映像または静止画像のマルチメディア情報を提示した複数の画面に囲まれた空間内部で利用者が映像または音楽を視聴するマルチメディア情報空間に情報を入出力するもので、マルチメディア情報空間に存在する複数の利用者の状態を検出し、検出された複数の利用者の状態を指示命令に変換し、変換された指示命令を処理して指示命令に応じてマルチメディア情報空間に出力すべきマルチメディア情報を更新し、更新したマルチメディア情報をマルチメディア情報空間に出力するものがある(例えば、特許文献１参照。)。
【特許文献１】特開２００１−２１６５２７号公報
【発明の開示】
【発明が解決しようとする課題】
【０００６】
しかしながら、上記の従来技術では、映像情報を可視聴者に動的に変化させて視聴させることができるものの、音楽などの音声情報については効果音的な使用方法かＢＧＭ的な使用方法などの映像に従属したような提示方法が一般的であり、音楽などの音声情報自体の広告を行いたい場合には以下のような問題があった。
【０００７】
(問題１)
映像だと複数の可視聴者に対し複数の映像を同時に提示することで複数の情報を同時に提示できるが、音楽などの音声情報の場合は同時に複数の異なる音声を提示するとそれぞれの判別が困難または不可能になってしまうため、複数の視聴者に対して音楽などの音声情報を提供する場合はジュークボックスのように順番に音声を再生するのみである。
【０００８】
(問題２)
上記の問題１をふまえて、同時に流す音源を一つにした場合には変化させられるものが映像のみとなってしまうので、視聴者にとって魅力的なものとはならない。
【０００９】
このような問題から、音楽などの音声情報自体の広告を効果的に行うことは難しいという課題が残されてきた。
【００１０】
本発明はこのような課題を解決するためになされたもので、その目的は、提供したい音楽コンテンツをパート毎に分離して用意しておき、視聴者の動きに応じて動的に構成することで音楽コンテンツ自体の広告に対する、より高い注目度を得られる音楽コンテンツ提供技術を提供することにある。
【課題を解決するための手段】
【００１１】
上記課題を解決するために、請求項１に記載の発明は、予め定められた複数の領域のいずれかの領域に進入する聴取者を検出するセンサと、前記センサによって検出された聴取者が進入した領域に対応付けられたヴォーカルまたは楽器による演奏を音により再生するコンテンツ出力部と、前記コンテンツ出力部に前記ヴォーカルまたは楽器による演奏を出力させるスクリプトを実行するスクリプト実行部と、を有し、ヴォーカルまたは楽器による演奏を同期させて一つの楽曲を構成し、当該楽曲を音により再生する音楽コンテンツを聴取者に提供する音楽コンテンツ提供装置による音楽コンテンツ提供方法であって、前記センサが、予め定められた複数の領域のうちのいずれか一つの領域に聴取者が進入したことを検出すると、前記スクリプト実行部が、前記一つの領域に対応付けられたヴォーカルまたは楽器の演奏を前記コンテンツ出力部に出力させるスクリプトを実行し、前記コンテンツ出力部が、前記一つの領域に対応付けられたヴォーカルまたは楽器の演奏を音により再生し、前記コンテンツ出力部が、前記一つの領域に対応付けられたヴォーカルまたは楽器の演奏を音により再生している状態で、前記センサが、前記複数の領域のうちの他の領域に前記聴取者が進入したことを検出すると、前記スクリプト実行部が、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、前記コンテンツ出力部に出力させるスクリプトを実行し、前記コンテンツ出力部が、前記一つの領域に対応付けられたヴォーカルまたは楽器の演奏と前記他の領域に対応付けられたヴォーカルまたは楽器の演奏とで構成される一つの楽曲を音楽コンテンツとして前記聴取者に提供する、ことを特徴とする。
【００１４】
また、請求項２に記載の発明は、聴取者を検出するセンサが、予め定められた複数の領域のいずれかの領域の聴取者を検出する検出ステップと、映像解析部が、前記聴取者の検出結果から当該聴取者の位置を特定する位置特定ステップと、前記位置特定ステップの位置特定結果に基づいて、イベント発生部が、前記複数の領域のいずれかの領域に前記聴取者が進入したことを示すイベントを発生するイベント発生ステップと、スクリプト実行部が前記イベントに対応したスクリプトを実行するスクリプト実行ステップと、コンテンツ出力部が前記スクリプトに対応したコンテンツを出力するコンテンツ出力ステップと、を有する音楽コンテンツ提供方法であって、前記検出ステップで、前記センサが、予め定められた複数の領域のいずれかの領域に進入した聴取者を検出すると、前記位置特定ステップで、前記映像解析部が、前記聴取者の位置に基づいて特定される一つの領域を特定し、前記イベント発生ステップで、前記イベント発生部が、前記一つの領域に前記聴取者が進入したことを示すイベントを発生し、前記スクリプト実行ステップで、前記スクリプト実行部が、前記一つの領域に対応付けられたヴォーカルまたは楽器の演奏を前記コンテンツ出力部に出力させるスクリプトを実行し、前記コンテンツ出力ステップで、前記コンテンツ出力部が、前記一つの領域に対応付けられたヴォーカルまたは楽器の演奏を音により再生し、前記コンテンツ出力部が、前記一つの領域に対応付けられたヴォーカルまたは楽器の演奏を音により再生している状態で、前記検出ステップで、前記センサが、予め定められた複数の領域の他の領域に前記聴取者が進入したことを検出すると、前記位置特定ステップで、前記映像解析部が、当該聴取者の位置に基づいて特定される他の領域を特定し、前記イベント発生ステップで、前記イベント発生部が、前記他の領域に前記聴取者が進入したことを示すイベントを発生し、前記スクリプト実行ステップで、前記スクリプト実行部が、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、前記コンテンツ出力部に出力させるスクリプトを実行し、前記コンテンツ出力ステップで、前記コンテンツ出力部が、前記一つの領域に対応付けられたヴォーカルまたは楽器の演奏と前記他の領域に対応付けられたヴォーカルまたは楽器の演奏とで構成される一つの楽曲を音楽コンテンツとして前記聴取者に提供する、ことを特徴とする。
また、請求項３に記載の発明は、聴取者を検出するセンサが、予め定められた複数の領域のいずれかの領域の聴取者を検出する検出ステップと、映像解析部が、前記聴取者の検出結果から当該聴取者の位置を特定する位置特定ステップと、前記位置特定ステップの位置特定結果に基づいて、イベント発生部が、前記複数の領域のいずれかの領域に前記聴取者が進入したことを示すイベントを発生するイベント発生ステップと、スクリプト実行部が前記イベントに対応したスクリプトを実行するスクリプト実行ステップと、コンテンツ出力部が前記スクリプトに対応したコンテンツを出力するコンテンツ出力ステップと、を有する音楽コンテンツ提供方法であって、前記検出ステップで、前記センサが、予め定められた複数の領域のいずれかの領域に進入した聴取者を検出すると、前記位置特定ステップで、前記映像解析部が、前記聴取者の位置に基づいて特定される一つの領域を特定し、前記イベント発生ステップで、前記イベント発生部が、前記一つの領域に前記聴取者が進入したことを示すイベントを発生し、前記スクリプト実行ステップで、前記スクリプト実行部が、前記一つの領域に対応付けられたヴォーカルまたは楽器の演奏を前記コンテンツ出力部に出力させるスクリプトを実行し、前記コンテンツ出力ステップで、前記コンテンツ出力部が、前記一つの領域に対応付けられたヴォーカルまたは楽器の演奏を音により再生し、前記コンテンツ出力部が、前記一つの領域に対応付けられたヴォーカルまたは楽器の演奏を音により再生している状態で、前記検出ステップで、前記センサが、予め定められた複数の領域の他の領域に前記聴取者が進入したことを検出すると、前記位置特定ステップで、前記映像解析部が、当該聴取者の位置に基づいて特定される他の領域を特定し、前記イベント発生ステップで、前記イベント発生部が、前記他の領域に前記聴取者が進入したことを示すイベントを発生し、前記スクリプト実行ステップで、前記スクリプト実行部が、前記他の領域に対応付けられたヴォーカルまたは楽器の演奏を、前記コンテンツ出力部に出力させるスクリプトを実行し、前記コンテンツ出力ステップで、前記コンテンツ出力部が、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、音により再生することで、前記一つの領域に対応付けられたヴォーカルまたは楽器の演奏と前記他の領域に対応付けられたヴォーカルまたは楽器の演奏とで構成される一つの楽曲が音楽コンテンツとして前記聴取者に提供される、ことを特徴とする。
【００１９】
また、請求項４に記載の発明は、ヴォーカルまたは楽器の演奏から構成される楽曲を音により再生する音楽コンテンツを聴取者に提供する音楽コンテンツ提供装置であって、予め定められた複数の領域のいずれかの領域に進入する聴取者を検出するセンサと、前記センサによって検出された聴取者が進入した領域に対応付けられたヴォーカルまたは楽器の演奏を音により再生するコンテンツ出力部と、前記センサが、予め定められた複数の領域のうちのいずれか一つの領域に聴取者が進入したことを検出すると、前記一つの領域に対応付けられたヴォーカルまたは楽器の演奏を前記コンテンツ出力部に出力させるスクリプトを実行し、前記コンテンツ出力部が、前記一つの領域に対応付けられたヴォーカルまたは楽器の演奏を出力している状態で、前記センサが、前記複数の領域のうちの他の領域に前記聴取者が進入したことを検出すると、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、前記コンテンツ出力部に出力させるスクリプトを実行するスクリプト実行部と、を有し、前記コンテンツ出力部から出力される前記一つの領域に対応付けられたヴォーカルまたは楽器の演奏と前記他の領域に対応付けられたヴォーカルまたは楽器の演奏とが一つの楽曲を構成し、当該楽曲が音楽コンテンツとして聴取者に提供される、ことを特徴とする。
【００２２】
また、請求項５に記載の発明は、予め定められた複数の領域のいずれかの領域の聴取者を検出するセンサと、前記聴取者の検出結果から当該聴取者の位置を特定する映像解析部と、前記映像解析部の位置特定結果から、前記複数の領域のいずれかの領域に前記聴取者が進入したことを示すイベントを発生するイベント発生部と、前記イベントに対応したスクリプトを実行するスクリプト実行部と、前記スクリプトに対応したコンテンツを出力するコンテンツ出力部と、を有する音楽コンテンツ提供装置であって、前記イベント発生部で、前記複数の領域のうちのいずれか一つの領域に聴取者が進入したことを示すイベントが発生すると、前記スクリプト実行部は、当該一つの領域に対応付けられたヴォーカルまたは楽器の演奏を前記コンテンツ出力部に出力させるスクリプトを実行し、前記コンテンツ出力部は、前記一つ領域に対応付けられたヴォーカルまたは楽器の演奏を出力し、前記コンテンツ出力部が、前記一つの領域に対応付けられたヴォーカルまたは楽器の演奏を出力している状態で、前記イベント発生部で、前記複数の領域のうちの他の領域に前記聴取者が進入したことを示すイベントが発生すると、前記スクリプト実行部は、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、前記コンテンツ出力部に出力させるスクリプトを実行することで、前記コンテンツ出力部から出力される前記一つの領域に対応付けられたヴォーカルまたは楽器の演奏と前記他の領域に対応付けられたヴォーカルまたは楽器の演奏とが一つの楽曲を構成し、当該楽曲が音楽コンテンツとして前記聴取者に提供される、ことを特徴とする。
また、請求項６に記載の発明は、予め定められた複数の領域のいずれかの領域の聴取者を検出するセンサと、前記聴取者の検出結果から当該聴取者の位置を特定する映像解析部と、前記映像解析部の位置特定結果から、前記複数の領域のいずれかの領域に前記聴取者が進入したことを示すイベントを発生するイベント発生部と、前記イベントに対応したスクリプトを実行するスクリプト実行部と、前記スクリプトに対応したコンテンツを出力するコンテンツ出力部と、を有する音楽コンテンツ提供装置であって、前記イベント発生部で、前記複数の領域のうちのいずれか一つの領域に聴取者が進入したことを示すイベントが発生すると、前記スクリプト実行部は、当該一つの領域に対応付けられたヴォーカルまたは楽器の演奏を前記コンテンツ出力部に出力させるスクリプトを実行し、前記コンテンツ出力部は、前記一つの領域に対応付けられたヴォーカルまたは楽器の演奏を出力し、前記コンテンツ出力部が、前記一つの領域に対応付けられたヴォーカルまたは楽器の演奏を出力している状態で、前記イベント発生部で、前記複数の領域のうちの他の領域に前記聴取者が進入したことを示すイベントが発生すると、前記スクリプト実行部は、前記他の領域に対応付けられたヴォーカルまたは楽器の演奏を、前記コンテンツ出力部に出力させるスクリプトを実行し、前記コンテンツ出力部は、前記他の領域に対応付けられたヴォーカルまたは楽器の演奏を、前記一つの領域に対応付けられたヴォーカルまたは楽器の演奏と同期させて、前記一つの領域に対応付けられたヴォーカルまたは楽器の演奏と同時に、出力することで、前記コンテンツ出力部から出力される前記一つの領域に対応付けられたヴォーカルまたは楽器の演奏と前記他の領域に対応付けられたヴォーカルまたは楽器の演奏とが一つの楽曲を構成し、当該楽曲が音楽コンテンツとして前記聴取者に提供される、ことを特徴とする。
【００２７】
また、請求項７に記載の発明は、上記の請求項４〜６のいずれかに記載の音楽コンテンツ提供装置の各機能を、コンピュータに実現させるためにコンピュータプログラムで記載してそれを実行可能にしたことを特徴とする。
【００２８】
請求項１および請求項４では、センサの検出結果に基づいて音楽コンテンツを構成するヴォーカルまたは楽器の演奏を聴取者に提供するので、聴取者が聴きたいと予想されるヴォーカルまたは楽器の演奏を提供することや、聴取者の状態に応じて提供するヴォーカルまたは楽器の演奏の組合せを変更することが可能となる。また、複数のヴォーカルまたは楽器の演奏を同期させて提供するので、複数のヴォーカルまたは楽器の演奏を重ね合わせて一つの楽曲として同時に情報提供することが可能となる。また、バンド演奏などを、聴取者の位置の検出結果に合わせて各楽器の演奏や全体の演奏など様々な態様で提供することが可能となる。
【００２９】
なお、聴取者とは音楽コンテンツを聞き取る者である。下記の「発明を実施するための最良の形態」において用いている可視聴者とは画像情報を視認しかつ音楽コンテンツを聞き取る者であり、聴取者は画像情報に関する限定が無い。
【００３２】
請求項２、請求項３、請求項５、及び請求項６では、聴取者の状態に対応したイベントに基づいてスクリプトが実行されるので、聴取者が聴きたいと予想されるヴォーカルまたは楽器の演奏を提供することや、聴取者の状態に応じて提供するヴォーカルまたは楽器の演奏を変更することが可能となる。そして、複数のヴォーカルまたは楽器の演奏を同期させて提供するので、複数のヴォーカルまたは楽器の演奏を重ねあわせて一つの楽曲として同時に情報提供することが可能となる。
【００３６】
請求項７では、請求項４〜請求項６の発明の各機能をコンピュータに実行させるプログラムが実現できる。
【発明の効果】
【００３７】
本発明によれば、音楽コンテンツ等による広告に対するより高い注目度を得られる音楽コンテンツ提供技術を提供することが可能となる。
【発明を実施するための最良の形態】
【００３８】
以下、本発明の実施形態を図面を用いて説明する。
【００３９】
図１は本発明の実施形態に係る音声情報出力システム１の構成を示すブロック図である。
【００４０】
図１に示すように音声情報出力システム１は、コンテンツを配信するコンテンツ配信装置２と、コンテンツ配信装置２によって配信されたコンテンツを画面出力するコンテンツ出力装置３とを備えている。
【００４１】
なお、音声情報出力システム１は、複数のコンテンツ配信装置２と、複数のコンテンツ出力装置３を備えることもできるが、本発明を理解しやすくするために以下の説明において音声情報出力システム１は１つのコンテンツ配信装置２と、１つのコンテンツ出力装置３とを備えるものとする。
【００４２】
コンテンツ配信装置２は、複数のコンテンツを記憶する記憶媒体を有するコンピュータ装置によって構成されており、コンテンツ出力装置３に音楽それ自体の広告や音声を効果的に使用した広告を目的とするコンテンツをネットワーク等の伝送路を介して配信するようになっている。
【００４３】
コンテンツ出力装置３は、コンピュータ装置によって構成され、コンテンツ出力装置３にはカメラ４が設けられている。なお、図１では２台のカメラ４が設置されているが１台１以上のカメラ４を有していればよい。
【００４４】
また、コンテンツ出力装置３は、液晶ディスプレイ、プラズマディスプレイ、プロジェクタ等の大画面のディスプレイ５と、スピーカ６とに接続されており、コンテンツ配信装置２によって配信されたコンテンツをディスプレイ５に画面出力し、スピーカ６に音声出力するようになっている。なお、図１にはコンテンツ出力装置３には１台のスピーカ６が設置されているが、スピーカ６は１台のスピーカでもマルチチャンネルの複数のスピーカでもよい。
【００４５】
図２は、コンテンツ出力装置３の構成を示すブロック図である。
【００４６】
図２に示すように、コンテンツ出力装置３はカメラ４によって撮像された映像を解析する映像解析部２１と、映像解析部２１による解析結果に基づいてイベントを発生するイベント発生部２２と、画面出力制御、スピーカ出力制御等が記述されたスクリプトが記憶されたスクリプト記憶部２３と、スクリプト記憶部２３に記憶されたスクリプトをイベントに応じて実行するスクリプト実行部２４と、コンテンツ配信装置２によって配信されたコンテンツを記憶するコンテンツ記憶部２５と、スクリプト実行部２４からの命令に基づいてコンテンツ記憶部２５に記憶されたコンテンツをディスプレイ５およびスピーカ６に出力するコンテンツ出力部２６とを備えている。
【００４７】
映像解析部２１はカメラ４によって撮像された映像を解析することによって可視聴者の位置を特定し、特定した可視聴者の位置から得られた解析結果をイベント発生部２２に出力するようになっている。
【００４８】
具体的には、映像解析部２１はカメラ４によって撮像された映像と、カメラ４の撮像領域に可視聴者がいない状態で撮像された静止画像との差分映像によって、可視聴者の位置を特定するようになっている。なお、音声情報に着目した場合には、可視聴者は聴取者と表現できる。
【００４９】
また、映像解析部２１は差分映像に基づいて可視聴者の特定の領域に対する進入および退出、滞留時間、移動時の速度および加速度、ならびに姿勢を解析するようになっている。
【００５０】
映像解析部２１によって出力された解析結果は、イベント発生部２２に入力されるようになっておりイベント発生部２２は入力された解析結果に基づいてイベントを発生するようになっている。
【００５１】
ここで、イベントとは可視聴者がディスプレイ５に対してどのようなアクションをとったか、即ち、可視聴者の状態を表すもので、例えば、可視聴者が特定の領域に対する進入もしくは退出をしたとき、滞留時間が予め定められた時間を超えた時、予め定められた速度以上もしくは未満の速度で移動した時、予め定められた加速度以上または未満の加速度で移動した時、またはディスプレイ５を指差した姿勢をとったとき等がある。
【００５２】
スクリプト実行部２４は、イベント発生部２２によって発生されたイベントに応じてスクリプト記憶部２３に記憶されたスクリプトを取得し、取得したスクリプトを実行するようになっている。
【００５３】
ここで、スクリプトには、コンテンツをディスプレイ５上に表示するウインドウの移動やサイズの変更、コンテンツの切り換え、スピーカ６に出力する音声の各パート音量の変更、切り換え等を含む命令が記述されている。
【００５４】
例えば、スクリプト実行部２４は、所定の領域に可視聴者が進入したことを示すイベントがイベント発生部２２によって発生された場合には、ディスプレイ５上の可視聴者が視聴しやすい位置の画像を変化させたり、スピーカ６より音声を出力させるスクリプトをスクリプト記憶部２３から取得して実行するようになっている。
【００５５】
コンテンツ出力部２６は、スクリプト実行部２４によって実行されたスクリプトによる命令に基づいてコンテンツ記憶部２５に記憶されたコンテンツをディスプレイ５、スピーカ６に出力するようになっている。
【００５６】
なお、上記の映像解析部２１、イベント発生部２２、スクリプト実行部２４、およびコンテンツ出力部２６は、コンテンツ出力装置３を構成するコンピュータ装置が有するＣＰＵによって構成される。
【００５７】
また、音声情報出力システム１は、コンテンツ記憶部２５によってコンテンツ発生装置を構成することも可能である。
【００５８】
ここで、音声情報出力システム１における画像出力動作の例を図３、図４を用いて説明する。
【００５９】
図３は、音声情報出力システム１における画面出力動作の例を説明するための説明図である。また、図４は視聴者に提供する音楽コンテンツの例を説明するための説明図である。図４に示すように全パートが揃ったコンテンツ４０、およびコンテンツ４０の各パート（４１〜４４）毎に分離したものを用意しておく。
【００６０】
図３において、可視聴者が誰もいない場合には、映像３３〜３６は静止画または上にマスクがかかった状態になっている。
【００６１】
可視聴者３１がディスプレイ５に表示された映像３４(ギターの映像)の前の領域に進入すると、可視聴者３１が所定領域に進入したことが映像解析部２１によって解析され、可視聴者３１が映像３４の前に進入した旨のイベントがイベント発生部２２によって発生される。
【００６２】
イベント発生部２２によって発生されたイベントに応じてスクリプト記憶部２３に記憶されたスクリプトがスクリプト実行部２４によって取得され、取得されたスクリプトが実行される。
【００６３】
スクリプト実行部２４によって実行されたスクリプトによる命令に基づいてコンテンツ記憶部２５に記憶されたコンテンツがコンテンツ出力部２６によってディスプレイ５およびスピーカ６に出力される。ディスプレイ５においては、映像３４の再生が始まるか、上にかかったマスクがはずれて動画が見えるようになり、スピーカ６からはギターのパート４２の再生が行われる。
【００６４】
図３において、別の可視聴者３２がディスプレイ５に表示された画像３６(ヴォーカルの映像)の前の領域に進入すると、可視聴者３２が所定領域に進入したことが映像解析部２１によって解析され、可視聴者３２が映像３６の前に進入した旨のイベントがイベント発生部によって発生される。
【００６５】
イベント発生部２２によって発生されたイベントに応じてスクリプト記憶部２３に記憶されたスクリプトがスクリプト実行部２４によって取得され、取得されたスクリプトが実行される。
【００６６】
スクリプト実行部２４によって実行されたスクリプトによる命令に基づいてコンテンツ記憶部２５に記憶されたコンテンツがコンテンツ出力部２６によってディスプレイ５およびスピーカ６に出力される。ディスプレイ５においては、映像３６の再生が始まるか、上にかかっていたマスクがはずれて動画が見えるようになり、スピーカ６からはヴォーカルのパート４４の再生が行われる。この際、可視聴者３１がまだ画像３４の前にいる場合には、ギターのパート４２とヴォーカルのパート４４とが重ね合わされて再生される。つまり、スクリプト実行部２４がギターのパート４２とヴォーカルのパート４４とを同期させて再生するスクリプトを実行する、または、コンテンツ出力部２６がギターのパート４２を再生するスクリプトとヴォーカルのパート４４を再生するスクリプトとを受け取ったときは各パートを同期させて出力するようにする。
【００６７】
本実施形態では、各映像３３〜３６の前の各領域に全て可視聴者が進入することによって、全パートが重ね合わされて再生されることになる。
【００６８】
ディスプレイ５前の想定される通行者の量によってスクリプトを変更することで、通行者が多いことが想定される場合にはある程度以上の人数がその領域にいる場合に再生が始まるようにすることが可能であり、通行者が少ないことが想定される場合には一度その領域に可視聴者が進入したらその領域から可視聴者が退出しても一定時間は再生を続けることで一人の可視聴者で複数のパートを再生させることも可能である。
【００６９】
また、ディスプレイ５と可視聴者との距離によって再生するパートの音量を変更させることも可能である。
【００７０】
これによって、その場の可視聴者たちの動きによって、毎回違うアンサンブルを聴くことが可能となる。
【００７１】
また、原曲と同じアレンジで再生することが出来た場合には、特典映像やクーポンをディスプレイ５に表示してもよい。
【００７２】
これにより、音楽を単なる効果音やＢＧＭとして使用するよりも、可視聴者の注目を得ることが出来る。
【００７３】
ここで、音声情報出力システム１における動作を図５を用いて説明する。図５は音声情報出力システム１における動作を説明するシーケンス図である。
【００７４】
図５において、まず、映像解析部２１がカメラ４で撮影した映像を解析する(Ｓ１)。
【００７５】
映像に変化があるかを判断し(Ｓ２)、映像に変化があると判断した場合には後段のＳ３の処理に移り、映像に変化がないと判断した場合にはＳ１の処理を行う。
【００７６】
Ｓ２で映像に変化があると判断した場合には、イベント発生部２２が変化の内容に応じたイベントを発生する(Ｓ３)。
【００７７】
スクリプト実行部２４が、発生したイベントと対応するアクションスクリプトを取得し(Ｓ４)、取得したスクリプトを実行する(Ｓ５)。
【００７８】
その結果、スクリプトにかかれたようにディスプレイ５やスピーカ６にコンテンツが再生される。
【００７９】
なお、本発明は図１、図２に示したシステムまたは装置の一部又は全部の処理機能をプログラムとして構成してコンピュータを用いて実現すること、または図３、図５で示した処理手順をプログラムとして構成してコンピュータに実行させることができる。また、コンピュータでその各部の処理機能を実現するためのプログラム、またはコンピュータにその処理手順を実行させるためのプログラムを、そのコンピュータが読み取り可能な記録媒体、例えば、フレキシブルディスク、ＭＯ、ＲＯＭ、メモリカード、ＣＤ、ＤＶＤ、リムーバブルディスクなどに記録して、保存したり、提供したりすることが可能であり、また、インターネットのような通信ネットワークを介して配布したりすることが可能である。
【００８０】
また、本実施形態では可視聴者の状態を検出するセンサとしてカメラを用いて説明したが、可視聴者の状態を検出することができるセンサであれば、例えば、赤外線(人感)センサ、静電センサ、超音波センサ、無線タグセンサ、タッチセンサ、圧力センサ、スイッチ等、どのようなセンサを用いてもよく、また、これらのセンサを適宜組み合わせて用いてもよい。
【００８１】
以上説明したように、本発明の実施形態に係る音声情報出力システム１によれば、提供したい音楽をパート毎に分離して用意しておき、視聴者の動きに応じて動的に構成することで音楽自体の広告に対するより高い注目度を得ることが出来る音楽コンテンツ提供技術を提供することが可能となる。
【図面の簡単な説明】
【００８２】
【図１】本発明の音声情報出力システムの構成を示すブロック図。
【図２】本発明の音声情報出力装置の構成を示すブロック図。
【図３】本発明の音声情報出力システムにおける画面出力動作の例を説明するための説明図。
【図４】本発明の視聴者に提供する音楽コンテンツの例を説明するための説明図。
【図５】本発明の音声情報出力システムにおける動作を説明するシーケンス図。
【図６】従来の音声情報出力システムにおける画面出力動作の例を説明するための説明図。
【図７】従来の音声情報出力システムにおける画面出力動作の例を説明するための説明図。
【符号の説明】
【００８３】
１…音声情報出力システム（音楽コンテンツ出力システム）
２…コンテンツ配信装置
３…コンテンツ出力装置
４…カメラ
５…ディスプレイ
６…スピーカ
２１…映像解析部
２２…イベント発生部
２３…スクリプト記憶部
２４…スクリプト実行部
２５…コンテンツ記憶部
２６…コンテンツ出力部
３１、３２…可視聴者
３３…アコーディオンのパート
３４…ギターのパート
３５…ドラムスのパート
３６…ヴォーカルのパート
４０…元の音楽コンテンツ
４１…アコーディオンパート
４２…ギターパート
４３…ドラムスパート
４４…ヴォーカルパート
【図１】
0005022562.tif 000002
【図２】
0005022562.tif 000003
【図３】
0005022562.tif 000004
【図４】
0005022562.tif 000005
【図５】
0005022562.tif 000006
【図６】
0005022562.tif 000007
【図７】
0005022562.tif 000008